(57)【特許請求の範囲】
【請求項１】
モバイル通信装置の１つ以上のプロセッサーによって実行されると、前記１つ以上のプロセッサーに、
画面上に、モバイル通信装置のユーザーが第１の個人と現在行っている第１の通話に関する呼制御情報を表示させ、
前記第１の個人についての通話中の連絡先情報の表示を要求する単一のユーザー入力を受け取らせ、
前記単一のユーザー入力に応答して、ソーシャル・ネットワーキング・サービスから前記モバイル通信装置によって得られる前記第１の個人に関するデータを含む、前記第１の個人についての通話中の連絡先情報を表示させ、
同時に複数の通話に関わっている前記ユーザーが第２の通話を現在行っている第２の個人についての通話中の連絡先情報の表示を要求するさらなる単一のユーザー入力を受け取らせ、
前記さらなる単一のユーザー入力に応答して、前記ソーシャル・ネットワーキング・サービスから前記モバイル通信装置によって得られる前記第２の個人に関するデータを含む、前記第２の個人についての通話中の連絡先情報を表示させる
複数の命令を格納した１つ以上のコンピューター記憶媒体。
【請求項２】
前記第１の個人についての前記通話中の連絡先情報を表示することは、前記画面上に、前記呼制御情報の代わりに前記第１の個人についての前記通話中の連絡先情報を表示することである請求項１に記載の１つ以上のコンピューター記憶媒体。
【請求項３】
前記ソーシャル・ネットワーキング・サービスから得られる前記第１の個人に関するデータは、前記第１の個人の１つ以上の電話番号及び前記第１の個人の１つ以上のアドレスを含む請求項１に記載の１つ以上のコンピューター記憶媒体。
【請求項４】
前記ソーシャル・ネットワーキング・サービスから得られる前記第１の個人に関するデータは、前記ソーシャル・ネットワーキング・サービスを介して前記第１の個人によって公表された１つ以上の画像を含む請求項１に記載の１つ以上のコンピューター記憶媒体。
【請求項５】
前記第１の個人についての前記通話中の連絡先情報を表示することは、さらに、前記第１の個人に関するデータが得られる前記ソーシャル・ネットワーキング・サービスについての指示を表示することである請求項１に記載の１つ以上のコンピューター記憶媒体。
【請求項６】
前記複数の命令はさらに、前記１つ以上のプロセッサーに、前記第１の個人についての前記通話中の連絡先情報と同時に、前記呼制御情報のうちの少なくとも一部を表示させる請求項１に記載の１つ以上のコンピューター記憶媒体。
【請求項７】
前記複数の命令はさらに、前記１つ以上のプロセッサーに、前記第１の個人のアドレスへメッセージを送るための、前記第１の個人についての前記通話中の連絡先情報の一部として表示されるオプションについてのユーザー選択を受け取らせる請求項１に記載の１つ以上のコンピューター記憶媒体。
【請求項８】
前記複数の命令はさらに、前記１つ以上のプロセッサーに、前記第１の通話が終了するときに前記第１の個人についての前記通話中の連絡先情報の表示を止めさせる請求項１に記載の１つ以上のコンピューター記憶媒体。
【請求項９】
モバイル通信装置との通話を現在行っている個人に関する通話中の連絡先情報を表示する要求を受け取るステップと、
前記要求に応答して、前記モバイル通信装置によってソーシャル・ネットワーキング・サービスから得られる情報を含む通話中の連絡先情報を得るステップと、
前記通話中の連絡先情報を表示するステップと、
同時に複数の通話に関わっている前記モバイル通信装置とさらなる通話を現在行っているさらなる個人に関するさらなる通話中の連絡先情報を表示するさらなる要求を受け取るステップと、
前記さらなる要求に応答して、前記モバイル通信装置によって前記ソーシャル・ネットワーキング・サービスから得られる更なる情報を含むさらなる通話中の連絡先情報を得るステップと、
前記さらなる通話中の連絡先情報を表示するステップと
を含むモバイル通信装置において実施される方法。
【請求項１０】
前記ソーシャル・ネットワーキング・サービスから得られる情報は、前記個人についての１つ以上の電話番号及び前記個人についての１つ以上のアドレスを含む請求項９に記載の方法。
【請求項１１】
前記ソーシャル・ネットワーキング・サービスから得られる情報は、前記個人によって前記ソーシャル・ネットワーキング・サービスに最近アップロードされた１つ以上の画像をさらに含む請求項１０に記載の方法。
【請求項１２】
前記ソーシャル・ネットワーキング・サービスから得られる情報は、前記個人によって前記ソーシャル・ネットワーキング・サービスにアップロードされた１つ以上の画像を含む請求項９に記載の方法。
【請求項１３】
前記モバイル通信装置によって前記ソーシャル・ネットワーキング・サービスから得られる情報は、複数の異なるソーシャル・ネットワーキング・サービスと次々に通信する仲介データサービスとの通信を介して前記モバイル通信装置によって得られる情報を含む請求項９に記載の方法。
【請求項１４】
前記通話が終了したときに前記通話中の連絡先情報の表示を止めるステップをさらに含む請求項９に記載の方法。
【請求項１５】
モバイル通信装置の１つ以上のプロセッサーによって実行されると、前記１つ以上のプロセッサーに、
画面上に、モバイル通信装置のユーザーが特定の個人と現在行っている通話に関する呼制御情報を表示させ、
前記特定の個人についての通話中の連絡先情報の表示を要求する単一のユーザー入力を受け取らせ、
前記単一のユーザー入力に応答して、前記特定の個人に関する情報及び前記呼制御情報のうちの少なくとも一部を含む前記特定の個人についての通話中連絡先情報を表示させ、前記特定の個人に関する情報は、前記モバイル通信装置によってソーシャル・ネットワーキング・サービスから得られたものであり、前記特定の個人の１つ以上の電話番号及び１つ以上のアドレスを含み、
同時に複数の通話に関わっている前記ユーザーがさらなる通話を現在行っているさらなる個人についての通話中の連絡先情報の表示を要求するさらなる単一のユーザー入力を受け取らせ、
前記さらなる単一のユーザー入力に応答して、前記モバイル通信装置によって前記ソーシャル・ネットワーキング・サービスから得られる前記さらなる個人に関する情報を含む、前記さらなる個人についての通話中の連絡先情報を表示させる
複数の命令を格納した１つ以上のコンピューター記憶媒体。
【発明の詳細な説明】
【技術分野】
【０００１】
本発明は、通話中の連絡先情報の表示に関する。
【背景技術】
【０００２】
[0001]無線電話などのモバイル通信装置はますます一般的になってきている。しかし、従来のモバイル通信装置によって使用されるフォームファクターは、通常、モバイル通信装置の可動性を増進させるために制限される。
【発明の概要】
【発明が解決しようとする課題】
【０００３】
例えば、従来のデスクトップコンピューターと比較すると、モバイル通信装置は比較的制限された大きさの表示領域を有していることがある。モバイル通信装置は大量の情報を格納し得るが、制限された大きさの表示領域のために、ユーザーがデータにアクセスすることが困難で煩わしいものとなり得る。モバイル通信装置を使用する場合、これは苛立たしいユーザー経験につながる。
【課題を解決するための手段】
【０００４】
[0002]この概要は、詳細な説明においてさらに以下に記載される概念の選択を単純化された形式で紹介するために提供される。この概要は、特許請求された主題の重要な特徴又は不可欠な特徴を識別するようには意図されず、特許請求された主題の範囲を限定するために使用されるようにも意図されない。
【０００５】
[0003]１つ以上の態様によれば、モバイル通信装置のユーザーが個人と現在行っている通話に関する呼制御情報が、画面に表示される。通話中の連絡先情報（コンタクト情報）の表示を要求する単一のユーザー入力が受信され、当該単一のユーザー入力に応答して、その個人に関するこの通話中の連絡先情報が表示される。
【０００６】
[0004]１つ以上の態様によれば、モバイル通信装置との通話を現在行っている個人に関する通話中の連絡先情報を表示するための要求が受信される。要求に応答して、通話中の連絡先情報が得られる。この通話中の連絡先情報はモバイル通信装置によって表示され、モバイル通信装置によってソーシャル・ネットワーキング・サービスから得られる情報を含む。
【０００７】
[0005]同様の特徴を参照するために図面の全体にわたって同じ数字が使用される。
【図面の簡単な説明】
【０００８】
【図１】[0006]１つ以上の実施例による、通話中の連絡先情報の表示を実施する例示的なシステムを示す。
【図２】[0007]１つ以上の実施例による、例示的な呼制御パネルを示す。
【図３】[0008]１つ以上の実施例による、例示的な通話中の連絡先情報パネルを示す。
【図４】[0009]１つ以上の実施例による、別の例示的な通話中の連絡先情報パネルを示す。
【図５】[0010]１つ以上の実施例による、追加の例示的なパネルを示す。
【図６】[0011]１つ以上の実施例による、追加の例示的なパネルを示す。
【図７】[0012]１つ以上の実施例による、通話中の連絡先情報の表示を実施する装置の例示的な処理を示すフローチャートである。
【図８】[0013]１つ以上の実施例による、通話中の連絡先情報の表示を実施する装置の例示的な処理を示すフローチャートである。
【図９】[0014]１つ以上の実施例による、通話中の連絡先情報の表示を実施するように構成することができる例示的な計算装置を示す。
【発明を実施するための形態】
【０００９】
[0015]通話中の連絡先情報の表示が本明細書において記載される。モバイル通信装置のユーザーは、他の装置を使用する１人以上の他の個人との通話に参加するために、当該装置を使用することができる。そのような通話中に、連絡先情報表示パネルをユーザーに対して表示することができる。単一のユーザー入力又はアクションに応答するなどして、連絡先情報表示パネルはユーザーによって容易にアクセスすることができる。連絡先情報表示パネルは、通話の一部である他の個人に関する様々な情報を表示する。この情報は、他の個人に関してソーシャル・ネットワーキング・サービスから得られる様々なデータを含んでもよい。
【００１０】
[0016]図１は、１つ以上の実施例による、通話中の連絡先情報の表示を実施する例示的なシステム１００を示す。システム１００は、１つ以上（ｘ）の他の装置１０４（１）、．．．１０４（ｘ）、及び１つ以上の（ｙ）ソーシャル・ネットワーキング・サービス１０６（１）、．．．１０６（ｙ）と通信することができるモバイル通信装置１０２を含む。モバイル通信装置は、通話、テキストメッセージ、他のコンテンツタイプを含むメッセージなどの通信を送受信できる通信装置を指す。モバイル通信装置１０２は、携帯電話、衛星電話、他の種類の無線電話、ハンドヘルドコンピューター、携帯情報端末（ＰＤＡ）、音声及び／又は動画再生装置、携帯型ゲーム装置、専用のメッセージ装置、ネットブックなどの様々な異なる種類の装置であってもよい。モバイル通信装置１０２が、通信呼を送受信することができることに加えて、カレンダー機能、音声又は動画再生機能などの機能を含んでもよいことが理解されるべきである。
【００１１】
[0017]１つ以上の実施例において、モバイル通信装置１０２は無線電話である。そのような無線電話は、「ブリック（brick）」構成、「クラムシェル（clamshell）」構成、「スライド」構成などの様々な異なるフォームファクターを使用して実施することができる。
【００１２】
[0018]装置１０４はモバイル通信装置であってもよいが、そうである必要はない。装置１０４は、モバイル通信装置１０２と同一の種類の装置であってもよいし、代替的に異なる種類の装置であってもよい。
【００１３】
[0019]モバイル通信装置１０２は、画面１１２、ユーザーインターフェース（ＵＩ）モジュール１１４、ローカル記憶部（local store）１１６、ユーザー入力モジュール１１８及び通信モジュール１２０を含む。モジュール１１４、１１８及び１２０の各々は、ソフトウェア、ファームウェア、ハードウェア又はそれらの組み合わせにおいて実施することができる。ソフトウェア又はファームウェアで実施される場合、モジュールは、モバイル通信装置１０２の１つ以上のプロセッサー又はコントローラーによって実行される１つ以上の命令を含む。
【００１４】
[0020]画面１１２はモバイル通信装置１０２の表示コンポーネントである。画面１１２は、液晶ディスプレイ（ＬＣＤ）技術、プラズマスクリーン技術、画像投影技術などを使用するなどして、様々な異なる方法で実施することができる。代替的に、画面１１２を含むのではなく、モバイル通信装置１０２は、画面１１２を含む他のディスプレイ装置に対して出力される１つ以上の信号を生成することができる。
【００１５】
[0021]通信モジュール１２０は、装置１０４及びソーシャル・ネットワーキング・サービス１０６との通信の送受信を管理する。モバイル通信装置１０２は、携帯電話、衛星、及び／又は他の技術もしくはプロトコルなどの、様々な異なる技術及びプロトコルを使用して、装置１０４と通信することができる。技術又はプロトコルは、無線及び／又は有線の技術及びプロトコルを含んでもよい。
【００１６】
[0022]通信モジュール１２０は、装置１０４との様々な異なる種類の通信をサポートする。通信モジュール１２０によりサポートされる１つの種類の通信は音声通話である。これは、モバイル通信装置１０２によって開始される音声通話（例えば、電話の発信）のほか、別の装置１０４によって開始される音声通話（例えば、電話の着信）を含んでもよい。また、通信モジュール１２０は、通常、複数の音声通話（例えば、三者通話、複数の者による（multi-party）会議、通話中着信又は保留中に通話をすることなど）を同時にサポートすることができる。
【００１７】
[0023]通信モジュール１２０によりサポートされる別の種類の通信はメッセージであり、それは、画像、動画、音声、メディアの種類の組み合わせなどの他の種類のメディアを備えたテキストメッセージを指す。１つ以上の実施例において、メッセージはショート・メッセージ・サービス（ＳＭＳ）通信プロトコルに従う。１つ以上の他の実施例において、メッセージはマルチメディア・メッセージ・サービス（ＭＭＳ）通信プロトコルに従う。ＳＭＳとＭＭＳが例示的なプロトコルにすぎず、他の通信プロトコルを代替的に使用することができることが理解されるべきである。モバイル・インスタント・メッセージ、電子メールなどの様々な他の種類の通信も、通信モジュール１２０によりサポートすることができる。
【００１８】
[0024]通信モジュール１２０は、インターネット、ローカルエリアネットワーク（ＬＡＮ）、公衆電話網、イントラネット、セルラーネットワーク又は他の無線電話ネットワーク、他の公衆及び／又は私有のネットワーク、それらの組み合わせなどを含む様々な異なるネットワークを使用して、ソーシャル・ネットワーキング・サービス１０６と通信することができる。通信モジュール１２０は、ソーシャル・ネットワーキング・サービス１０６を使用して、様々な個人又は他のエンティティに関してデータ（本明細書において情報とも呼ばれる）を得て、そのデータを画面１１２上の表示に利用可能にする。個人がエンティティのエージェントであってもよく、又は、そうでなければ、ビジネス、サービス、他のグループなどを代表するように、同様にエンティティを代表してもよいことが理解されるべきである。従って、データは、特定の個人及び／又は特定の個人が代表するエンティティに関するデータであってもよい。より詳細に以下に述べるように、データが得られる特定の個人又はエンティティは、モバイル通信装置１０２が音声通話を使用して通信する個人に少なくとも部分的に基づく。
【００１９】
[0025]例示的なシステム１００において、通信モジュール１２０は仲介データサービス１０８を介してソーシャル・ネットワーキング・サービス１０６からデータを得る。通信モジュール１２０は、データが望まれる１人以上の個人又は他のエンティティの仲介データサービス１０８に指示を提供する。これらの個人又は他のエンティティは、例えば、装置１０２のローカルアドレス帳（例えば、ローカル記憶部１１６に格納される）における個人であってもよい。ユーザーは、自分のローカルアドレス帳の中の個人のほか、他のエンティティ（例えば、ビジネス、サービス及び他のグループ）に関する情報を保持することができる。仲介データサービス１０８は、次に、１つ以上のソーシャル・ネットワーキング・サービス１０６から１人以上の個人又は他のエンティティについてのデータを得て、通信モジュール１２０に得られたデータを返す。１つ以上の実施例において、仲介データサービス１０８は、ソーシャル・ネットワーキング・サービス１０６から得られたデータのキャッシュを保持し、通信モジュール１２０からのデータの要求に応答して、当該要求の時にソーシャル・ネットワーキング・サービス１０６にアクセスするのではなく、キャッシュからデータを返すことができる。仲介データサービス１０８はまた、オプションとして、複数の異なるソーシャル・ネットワーキング・サービス１０６と通信することができる。
【００２０】
[0026]通信モジュール１２０は、ポーリング技術又は通知技術の使用によるなどの異なる方法で仲介データサービス１０８からデータを得ることができる。ポーリング技術を使用して、通信モジュール１２０は、等間隔又は不規則な間隔で仲介データサービス１０８に１人以上の個人又はエンティティについてのデータ（例えば、変更された任意のデータ）の要求を送信する。通知技術を使用して、通信モジュール１２０は、データ変更の通知を受け取るために仲介データサービス１０８に登録し、サービス１０８は、そのようなデータ変更の通知を通信モジュール１２０に送る。同様に、仲介データサービス１０８は、ポーリング技術又は通知技術の使用によるなどの異なる方法で、ソーシャル・ネットワーキング・サービス１０６からデータを得ることができる。
【００２１】
[0027]代替的に、通信モジュール１２０は、仲介データサービス１０８と無関係な１つ以上のソーシャル・ネットワーキング・サービス１０６と通信することができる。通信モジュール１２０は、仲介データサービス１０８からデータを得ることに関する上述の説明に類似して、ポーリング技術又は通知技術を使用することによるなどの異なる方法でソーシャル・ネットワーキング・サービス１０６からデータを得ることができる。ソーシャル・ネットワーキング・サービス１０６からデータを得ることに言及する本明細書における説明は、データが仲介データサービス１０８を介してサービス１０６から得られる実施例のほか、データが仲介データサービス１０８と無関係にサービス１０６から得られる実施例を含む。
【００２２】
[0028]ローカル記憶部１１６は１つ以上のコンピューター記憶媒体である。ローカル記憶部１１６は、（ランダム・アクセス・メモリー（ＲＡＭ）などの）揮発性の媒体及び／又は（読み取り専用メモリー（ＲＯＭ）、フラッシュメモリー、光ディスク、磁気ディスクなどの）不揮発性の媒体を含んでもよい。記憶部１１６は、固定媒体（例えば、ＲＡＭ、ＲＯＭ、固定ハードドライブなど）のほか、取り外し可能な媒体（例えば、フラッシュメモリードライブ、取り外し可能なハードドライブ、光ディスクなど）含んでもよい。
【００２３】
[0029]様々な情報をローカル記憶部１１６に保持することができる。１つ以上の実施例において、モバイル通信装置１０２のコンポーネント又はモジュール（例えば、モジュール１１４又は１２０）は、連絡先リスト（コンタクトリスト、contacts list）とも呼ばれるアドレス帳を保持する。アドレス帳は、装置１０２のユーザーによって望まれるような特定の個人及び／又はエンティティに関する様々な情報を含む。アドレス帳は、例えば、友人、家族、仕事上の知人、サービスプロバイダー、仕事などに関する情報を含んでもよい。電話番号、Ｅメールアドレス、インスタント・メッセージ・アドレスなどの様々な異なる情報を保持することができる。
【００２４】
[0030]１つ以上の実施例において、通信モジュール１２０は、上述のようにソーシャル・ネットワーキング・サービス１０６からローカル記憶部１１６のアドレス帳において識別される個人又は他のエンティティに関するデータを得る。得られるこのデータも、アドレス帳の一部として、又は代替的にアドレス帳とは別個に、ローカル記憶部１１６に格納される。したがって、通信モジュール１２０は、ローカル記憶部１１６にソーシャル・ネットワーキング・サービス１０６からの現在のデータを保持することができる。ソーシャル・ネットワーキング・サービス１０６上のデータに対して変更がなされる場合、その変更は通信モジュール１２０によって得られ、ローカル記憶部１１６に保存される。従って、装置１０２のモジュールである他のコンポーネントは、ソーシャル・ネットワーキング・サービス１０６から現在のデータを得るためにローカル記憶部１１６のデータにアクセスすることができる。
【００２５】
[0031]代替的に、ローカル記憶部１１６にソーシャル・ネットワーキング・サービス１０６からの情報を保持するのではなく、望まれた時にそのような情報を通信モジュール１２０によって得ることができる。例えば、特定の個人又はエンティティに関する情報が画面１１２に表示されることが望まれる場合、その情報は通信モジュール１２０によって仲介データサービス１０８又はソーシャル・ネットワーキング・サービス１０６から得ることができる。
【００２６】
[0032]ローカル記憶部１１６に格納される個人又は他のエンティティに関する情報は、ソーシャル・ネットワーキング・サービス１０６から得られる情報を含んでもよいし、オプションとして他のソースから得られる情報を含んでもよい。例えば、モバイル通信装置１０２のユーザーは、ローカル記憶部１１６に保持される個人又は他のエンティティに関する情報を入力することができる。別の例として、モバイル通信装置１０２は、別の装置からコンタクトカード（contact card）か電子ビジネスカード（電子名刺）を受け取り、ローカル記憶部１１６にそのカードからの情報を格納することができる。従って、ローカル記憶部１１６に格納された個人又は他のエンティティに関する情報が装置１０２の別のコンポーネント又はモジュールによってその後にアクセスされる場合、その情報は、ソーシャル・ネットワーキング・サービス１０６及び／又は他のソースから得られた情報であってもよい。
【００２７】
[0033]個人又は他のエンティティに関する様々な異なる情報はローカル記憶部１１６に保持することができる。１つ以上の実施例において、個人及び他のエンティティは、ソーシャル・ネットワーキング・サービス１０６を使用して様々な異なる情報を公表することができ、そのような公表された情報を得てローカル記憶部１１６に格納することができる。そのような公表された情報の例は、電話番号（例えば、携帯電話番号、自宅の電話番号、勤務先の電話番号など）、Ｅメールアドレス、インスタント・メッセージ・アドレス、郵便の宛先、画像又は動画、装置１０２のユーザー及び個人又はエンティティの両方がタグ付けされる画像又は動画、（例えば、個人又は他のエンティティの現在の位置、又は個人又は他のエンティティが携わる活動を示す）ソーシャルフィード（social feed）、プロフィール詳細（例えば、個人の関係状況（relationship status）、誕生日、関心又は趣味など）、装置１０２のユーザー及び個人又はエンティティの両方がその一部となるような今度のミーティング又はイベント、個人又はエンティティの友人などを含む。ソーシャル・ネットワーキング・サービス１０６を使用して公表されない追加情報も、上述のような他のソースから得てローカル記憶部１１６に格納することができる。そのような情報の例は、個人又はエンティティが装置１０２のユーザーとの間で送受信した最近のメッセージ、装置１０２のユーザーによって入力されるか又は電子ビジネスカードから得られる電話番号又はアドレスなどを含む。
【００２８】
[0034]入力モジュール１１８はモバイル通信装置１０２のユーザーからユーザー入力を受け取る。これらのユーザー入力は、コマンド、行われるべきアクション、入力されているデータなどの特定のユーザー要求を示す。ユーザー入力は、装置１０２のキーパッド又はキーボードの１つ以上のキーを押すこと、装置１０２のタッチパッド又はタッチスクリーンの特定の部分を押すこと、タッチスクリーンの表面にユーザーの手の指を置いて当該表面を横切って指をドラッグすることなど、様々な異なる方法で提供することができる。タッチスクリーン機能は、容量、表面弾性波、抵抗、光、歪みゲージ、分散信号、音響パルス又は他のタッチスクリーン技術によるなどの様々な異なる技術を使用して、提供することができる。ユーザー入力はまた、装置への他の物理的なフィードバック入力（例えば、装置１０２の任意の部分を軽くたたくこと、又は、装置１０２を振ることや装置１０２を回転させることなどの装置１０２の動作検出コンポーネントによって認識することができる別のアクションなど）を介するなど、他の方法で提供することができる。
【００２９】
[0035]ＵＩモジュール１１４は、画面１１２上での表示のために、ユーザーインターフェースを生成し、管理し及び／又は出力する。このユーザーインターフェースは、画面１１２に表示される１つ以上のパネルを含む。パネルは表示される一群の情報を指す。異なるパネルは異なる情報を表示することができ、及び／又は異なる方法で組織される情報を表示することができる。ユーザーは様々なユーザー入力によって異なるパネルを介してナビゲートすることができる。様々な異なるパネルを、ユーザーが電話をし及び／又は電話に出ることを可能にするため、通話に参加している別のユーザーに関する情報をユーザーが見ることを可能にするため、ユーザーが個人又はエンティティに関する情報を入力することを可能にするためなどの、様々な異なる目的のために表示することができる。特定のパネルとしてのＵＩモジュール１１４によって表示される特定の情報は、（例えば、ユーザー入力モジュール１１８から得られるような）ユーザーの入力、（例えば、通信モジュール１２０から得られるような）ユーザーが参加している現在の通話に関する情報、ローカル記憶部１１６からの情報などに基づくなどして、変化してもよい。
【００３０】
[0036]ＵＩモジュール１１４によって表示される特定のパネルは、モバイル通信装置１０２がパネルの表示の時に携わっている通話に少なくとも部分的に基づく。この通話はモバイル通信装置１０２と別の装置１０４との間で行われる。装置１０２と１０４は、通常、通話中に特定の個人によって使用されているので、当該通話は、これらの個人間又は個人と装置との間でなされるものとして言及されてもよい。２つの装置が通話に携わっている場合、当該２つの装置間の接続は、（有線及び／又は無線の部分を含み得る）ネットワーク上に存在する。一方の装置は、通常、通話を終了することができ、その場合、２つの装置間の接続は終了する。
【００３１】
[0037]上述のように、通話中に装置１０４を使用する特定の個人が、その装置１０４に関連した個人であってもよく、又は代替的に、その装置１０４に関連したエンティティの代理人もしくは他の代表者であってもよいことにも留意すべきである。例えば、エンティティはビジネス又は他のグループであってもよい。このビジネス又は他のグループは、ソーシャル・ネットワーキング・サービス１０６上で公表され通信モジュール１２０によって得られる電話番号及びアドレスなどの様々な情報を有してもよい。しかし、モバイル通信装置１０２のユーザーがこのエンティティに電話をする場合、当該エンティティを代表する個人が電話に出て、装置１０２のユーザーとの通話に携わる。
【００３２】
[0038]１つ以上の実施例において、ＵＩモジュール１１４は呼制御パネル及び通話中の連絡先情報パネル（in-call contact information panel）を表示することができる。一般に、呼制御パネルは、通話、及びオプションとして、装置１０２のユーザーによって入力することができる通話についての制御要求に関する、様々な情報を表示する。他方、通話中の連絡先情報パネルは、モバイル通信装置１０２が現在通話している個人（又は個人が代表するエンティティ）に関する情報、及びオプションとして、ユーザーによって入力することができる、個人（又は個人が代表するエンティティ）との追加の通信についての要求の指示を表示する。呼制御パネル及び通話中の連絡先情報パネルは、装置１０２が通話を開始し及び／又は別の装置が通話を開始する状況において表示することができる。
【００３３】
[0039]通話中、ＵＩモジュール１１４は、呼制御パネル及び通話中の連絡先情報パネルのうちの１つを表示することができる。従って、他方が表示される間に呼制御パネル及び通話中の連絡先情報のうちの１つの表示が要求される場合、要求されたパネルは、以前に表示されたパネルの代わりに表示される。代替的に、呼制御パネル及び通話中の連絡先情報パネルの両方を同時に表示することができる。
【００３４】
[0040]呼制御パネルは、呼制御パネルが表示される時にモバイル通信装置が携わっている通話に関する様々な呼制御情報を表示する。この情報は、電話及び／又は通話に関するステータス情報のほか、通話に関してユーザーによってなすことができる様々な制御要求の指示を含んでもよい。例えば、ステータス情報は、モバイル通信装置１０２が現在通話している個人の識別子（又は、モバイル通信装置１０２が現在通話している個人が代表するエンティティの識別子）、その個人が保留にされたかどうかについての指示、装置１０２のマイクロホンがミュートにされたかどうかについての指示、通話の持続時間、装置１０２の残りのバッテリー寿命についての指示、通話の信号強度についての指示などを含んでもよい。別の例として、制御要求の指示は、装置１０２のスピーカーをアクティブにするための指示、装置１０２のマイクロホンをミュートにするための指示、通話を終了するための指示、モバイル通信装置１０２が現在通話している個人を保留にする（待たせる）ための指示、通話へ別の個人を加えるための（例えば、電話会議を開始するか又は拡張するための）指示などを含んでもよい。これらの様々な制御要求は、上述のように、様々な異なるユーザー入力を使用して、装置１０２のユーザーによって入力することができる。
【００３５】
[0041]通話中の連絡先情報パネルは、モバイル通信装置１０２が現在通話している個人（又は個人が代表するエンティティ）に関する様々な情報を表示する。この連絡先情報パネルは通話中に表示され、それはまた、通話中に連絡先情報パネルを表示するものとして参照される。ローカル記憶部１１６から利用可能な及び／又は通信モジュール１２０によってソーシャル・ネットワーキング・サービス１０６から得ることができる個人又はエンティティに関する任意の情報などの様々な異なる情報は、通話中の連絡先情報パネルに表示することができる。通話中の連絡先情報パネルに表示されたこの情報はまた、情報源についての指示（例えば、特定のソーシャル・ネットワーキング・サービス１０６の識別子、装置１０２のユーザーの識別子など）のほか、情報が装置１０２によって得られた日付及び／又は時間を含んでもよい。また、モバイル通信装置１０２が複数の個人との通話に携わっている場合（例えば、複数の参加者による電話会議）、次いで、通話中の連絡先情報パネルは、それらの複数の個人（又はそれらの複数の個人が代表するエンティティ）に関する情報を表示する。
【００３６】
[0042]通話中着信（キャッチホン）を使用する場合、電話を保留にする場合など、モバイル通信装置１０２は、オプションとして、複数の異なる通話に同時に携わることができる。複数の通話に同時に携わっている場合、別個の通話中の連絡先情報パネルが各通話について表示される。１つのそのような通話中の連絡先情報パネルだけが一度に表示され、ユーザーは、異なる通話中の連絡先情報パネル間で移行するための要求を入力することができる。代替的に、２つ以上のそのような通話中の連絡先情報パネルを同時に表示することができる。各々のそのような通話中の連絡先情報パネルは、モバイル通信装置１０２が現在通話している個人（もしくはその個人が表すエンティティ）又は複数の個人（もしくはその複数の個人が表す複数のエンティティ）に関する様々な情報を表示する。
【００３７】
[0043]呼制御パネル及び通話中の連絡先情報パネルは、通話の間、モバイル通信装置１０２によって表示することができる。通話が終了する場合、呼制御パネル及び通話中の連絡先情報パネルの表示も終了する。代替的に、呼制御パネル及び／又は通話中の連絡先情報パネルは、通話が終了した後にある量の時間（例えば、５秒、１０秒、３０秒など）だけ表示することができる。
【００３８】
[0044]図２−６は、１つ以上の実施例による、モバイル通信装置によって表示することができる例示的なパネルを示す。これらのパネルは、例えば、図１の画面１１２に表示することができる。
【００３９】
[0045]図２は、１つ以上の実施例による、モバイル通信装置によって表示される例示的な呼制御パネル２０２を示す。呼制御パネル２０２は、モバイル通信装置のユーザーが通話している個人（「サラ」）を識別する通話接続情報２０４の形式のステータス情報を含む。通話接続情報２０４はまた、「分：秒」フォーマット（「０：０１」）又は通話が１時間もしくはより長い場合には「時間：分：秒」（もしくは「時間：分」）フォーマットでの通話の持続時間、及び通話のステータスについての指示（「サラ」が自分の携帯電話又は他のモバイル通信装置を使用していることを示す、「モバイルに接続されている」）を示す。
【００４０】
[0046]呼制御パネル２０２はまた、電話ステータス情報２０６の形式のステータス情報を含む。電話ステータス情報２０６は、（複数の縦線の形式の）制御パネル２０２を表示する装置の現在の信号強度、及び（電池のシンボルの形式の）制御パネル２０２を表示する装置の現在のバッテリー寿命を示す。
【００４１】
[0047]呼制御パネル２０２はまた、モバイル通信装置のユーザーによって入力することができる制御要求の指示２０８を含む。これらの制御要求は、スピーカーの電源を入れ（例えば、スピーカーフォン機能を有効にし）、通話をミュートにし、別の発呼者を加え、通話を保留にし、通話を終了する指示を含む。これらの制御要求のうちの１つを行うためのユーザー要求は、上述のように、様々な異なる方法でユーザーによって入力することができる。
【００４２】
[0048]図３は、１つ以上の実施例による例示的な通話中の連絡先情報パネル３０２を示す。通話中の連絡先情報パネル３０２はステータス情報３０４及び連絡先情報３０６を含む。図示された例において、ステータス情報３０４は図２のステータス情報２０４と同じである。代替的に、ステータス情報３０４は、ステータス情報２０４中の情報の部分集合（サブセット）を含んでもよく、及び／又はステータス情報２０４に含まれない他のステータス情報を含んでもよい。より詳細に以下に述べるように、図３に示されたパネル３０２は、通話中の連絡先情報パネル全体、又は代替的にパネルの一部であってもよい。
【００４３】
[0049]連絡先情報３０６は、モバイル通信装置が現在携わっている通話についての通話中の連絡先情報である。示された例において、この通話中の連絡先情報は、通話に携わっている他の個人の現在の状態又は位置（例えば、サラは、雨の中、屋外で溝を掘ることに現在取り組んでいる）を含む。オプションとして、この現在の状態又は位置が得られた日付及び／又は時間のほかこの現在の状態又は位置が得られたソーシャル・ネットワーキング・サービスについての指示は、連絡先情報３０６の一部として表示することができる。また、モバイル通信装置が通話している個人の電話番号も、連絡先情報３０６の一部として表示される。示された例において、電話番号の種類（例えば、モバイル）についての指示も連絡先情報３０６の一部として表示される。通話に携わっている他の個人によってソーシャル・ネットワーキング・サービスに最近アップロードされた画像も表示することができる。画像は、連絡先情報３０６の別個の部分として表示することができ、又は代替的に、図３に示されるような背景画像として役立ち得る。
【００４４】
[0050]１つ以上の実施例において、ユーザーはまた、通話中の連絡先情報パネル３０２を介して個人との追加の通信の要求を入力することができる。これらの追加の通信の種類は、表示される情報の種類に基づいて変化してもよい。例えば、表示される情報の種類が電話番号である場合、特定の電話番号を介して個人にメッセージを送信したり個人と通話を開始したりする要求を入力することができる。別の例として、表示される情報の種類がアドレスである場合、特定のアドレス（例えば、Ｅメールアドレス、インスタント・メッセージ・アドレスなど）を介して個人へメッセージを送信する要求を入力することができる。
【００４５】
[0051]通話中の連絡先情報パネル３０２が上述のように様々な異なる方法で表示されている間に、ユーザーはそのような要求を入力することができる。そのような入力に応答して、要求されたアクションがとられる。例えば、パネル３０２を表示する装置は、特定の電話番号への通話を開始したり、特定の電話番号又はアドレスへのメッセージとしてその後に送信されるデータが入力されることを可能にするためのデータ入力画面を開いたりすることなどができる。
【００４６】
[0052]図３の例において、テキスト選択３１２及び電話選択３１４は、表示された携帯電話番号に関連付けられる。従って、ユーザーは、テキスト選択３１２を選択することによって、又はそうでなければ送信テキストメッセージ要求を入力することによって、表示された携帯電話番号へテキストメッセージを送信する要求を入力することができる。同様に、ユーザーは、電話選択３１４を選択することによって、又はそうでなければ開始発呼要求を入力することによって、表示された携帯電話番号への通話を開始する要求を入力することができる。ある状況においてあるオプションがユーザーにとって利用可能になる必要がないことが理解されるべきである。例えば、表示された携帯電話番号に対して又はその番号から現在の通話が開始された場合、次いで電話選択３１４を表示する必要はない（又は、表示される場合に無効にされてもよい）。
【００４７】
[0053]１つ以上の実施例において、モバイル通信装置は、一度に図２のパネル２０２及び図３のパネル３０２のうちの１つだけを表示する。装置は、ユーザー要求に応答して、パネル２０２の表示とパネル３０２の表示との間で移行することができる。そのようなユーザー要求は上述のように様々な異なる方法で入力することができる。
【００４８】
[0054]例えば、通話中の連絡先情報パネル３０２と呼制御パネル２０２との間で移行するための要求を示すために、パン・ジェスチャー（pan gesture）を使用することができる。パネル３０２及び２０２が表示される画面は、ユーザーの指又は（スタイラスなどの）他の入力装置を介したジェスチャー入力を検出するために利用することができるタッチスクリーン機能を含む。パン・ジェスチャーは、タッチスクリーンの表面にユーザーの手の指を置いて、当該表面を横切って指をドラッグすることを含んでもよい。パネル３０２からパネル２０２に移行する（又はパネル２０２からパネル３０２に移行する）ためにユーザーがドラッグするべきである正確な方向についての指示は、パネル３０２（又はパネル２０２）に表示することができる。図１のユーザー入力モジュール１１８は、このジェスチャーを検出し、図１のＵＩモジュール１１４に新たなパネルの表示へと変更するよう指示することができる。
【００４９】
[0055]パネル３０２又はパネル２０２へと移行するためにユーザーがドラッグするべき正確な方向についての指示は、別のパネルにおいて何が利用可能かを示す表示のごく一部（例えば、細片（sliver））、別のパネルにおいて何が利用可能かを示すアイコンなど、様々な異なる方法で表示することができる。例えば、呼制御パネル２０２の右側の表示の細片は、通話中の連絡先情報パネル３０２に移行するために、ユーザーが右へのパン・ジェスチャーを入力することができることを示してもよい。別の例として、通話中の連絡先情報パネル３０２の左側の表示の細片は、呼制御パネル２０２に移行するために、ユーザーが左へのパン・ジェスチャーを入力することができることを示してもよい。
【００５０】
[0056]代替的に、装置が通話中の連絡先情報パネル３０２と呼制御パネル２０２との間で移行するべきであることをユーザーが示すために他の技術を使用することができる。例えば、パネル２０２を表示する場合、通話中の連絡先情報パネル３０２の利用可能性についての指示を表示することができ、ユーザーは、自分の指、スタイラスでこの指示にタッチすることができ、又はそうでなければ、パネル３０２を表示する要求を入力することができる。そのような要求に応答して、パネル３０２が表示される。同様に、パネル３０２を表示する場合、呼制御パネル２０２の利用可能性についての指示を表示することができ、ユーザーは、自分の指、スタイラスでこの指示にタッチすることができ、又はそうでなければ、パネル２０２を表示する要求を入力することができる。そのような要求に応答して、パネル２０２が表示される。
【００５１】
[0057]呼制御パネル２０２から通話中の連絡先情報パネル３０２へ移行するための要求は、上述のように様々な異なる方法で入力することができる。１つ以上の実施例において、この要求は単一のユーザー入力である。単一のユーザー入力とは、ユーザーによる単一のアクションを指す。この単一のアクションは、単一のキー又はキーシーケンスを押すこと、タッチスクリーンの単一の部分又はタッチスクリーンの一連の部分を押すことなど、単一のジェスチャー（例えば、上述のようなパン・ジェスチャー）又は一連のジェスチャーであってもよい。この単一のユーザー入力に応答して、呼制御パネル２０２から通話中の連絡先情報パネル３０２への移行がなされる。ユーザーは、ナビゲーションの各段階で異なる要求を入力して、複数の異なるメニューオプション、複数のスクリーン表示などを介してナビゲートする必要がない。むしろ、通話中の連絡先情報パネル３０２は、単一のジェスチャー又は他の入力によって、呼制御パネル２０２から、ユーザーにとって利用可能となる。
【００５２】
[0058]また、モバイル通信装置の画面のサイズに依存して、モバイル通信装置は、表示のために利用可能な追加情報を有するが、追加情報を表示するのには不十分な画面スペースを有し得る。したがって、ユーザーは、この追加情報が表示されることを可能にするために、通話中の連絡先情報パネル３０２を介してスクロールアップ及び／又はスクロールダウンする要求を入力してもよい。スクロールアップするための要求及び／又はスクロールダウンするための要求は、パン・ジェスチャーを使用したり、物理的なキーを押したり、タッチスクリーンの一部を押したりするなどして、上述のように様々な異なる方法で入力することができる。複数の追加の部分をスクロールアップ及び／又スクロールダウンさせることができる。例えば、モバイル通信装置が通話している個人の追加情報が利用可能であると仮定する。ユーザーは、例えば、図３における通話中の連絡先情報パネル３０２の表示された部分からスクロールダウンする要求を入力することができ、これはパネル３０２の異なる部分が表示されることに帰着する。
【００５３】
[0059]図４は、１つ以上の実施例による、通話中の連絡先情報パネル３０２の例示的な一部を示す。図４に示されたパネル３０２の一部は、図３における表示からスクロールダウンすることをユーザーが要求した後に表示される部分である。通話中の連絡先情報パネル３０２はステータス情報３０４及び連絡先情報３２０を含む。ステータス情報３０４は、図３に関して上述されたものと同じステータス情報である。
【００５４】
[0060]連絡先情報３２０は、モバイル通信装置が現在携わっている通話についての追加の通話中の連絡先情報である。示された例において、この通話中の連絡先情報は、個人についての自宅電話番号の指示のほか、個人についてのインスタント・メッセージ（ＩＭ）アドレス及び個人についてのＥメールアドレスを含む。（選択３１２及び３１４と類似した）メッセージ又はテキストの選択は、連絡先情報３２０におけるアドレスについて示されていないが、そのようなメッセージ又はテキストの選択は、ユーザーにとってなお利用可能であってもよい。例えば、ユーザーは、その後にアドレスに対してメッセージとして送信されるデータが入力されることを可能にするべくデータ入力画面を開かせるために、Ｅメールアドレスを表示する画面の領域に触れてもよい。
【００５５】
[0061]図５は、１つ以上の実施例による、追加の例示的なパネルを示す。呼制御パネル５０２と２つの通話中の連絡先情報パネル５０４及び５０６とが示される。３つのパネルが図５に示されるが、１つ以上の実施例において、３つのパネルのうちの１つだけが任意の所与の時間に表示される。ユーザーは、上述のようにパン・ジェスチャー又は他のユーザー入力を使用して、これらの３つのパネル５０２、５０４及び５０６の間で移行することができる。
【００５６】
[0062]図５は、パネル５０２−５０６を表示する装置のユーザーが２つの通話に同時に携わっている状況を示す。ユーザーは、通話中着信を使用して又はそうでなければ１人の個人を保留にするなどして、電話会議などの様々な状況において、２つの通話に同時に携わることができる。別個の通話中の連絡先パネル５０４及び５０６は各通話について表示される。図５に示された通話について、個人「デーン」への通話は現在保留中である一方、個人「サラ」への通話は現在アクティブである。通話についてのこの状態はパネル５０２−５０６に示される。
【００５７】
[0063]図６は、１つ以上の実施例による追加の例示的なパネルを示す。呼制御パネル６０２と２つの通話中の連絡先情報パネル６０４及び６０６とが示される。３つのパネルが図６に示されるが、１つ以上の実施例において、３つのパネルのうちの１つだけが任意の所与の時間に表示される。ユーザーは、上述のようにパン・ジェスチャー又は他のユーザー入力を使用して、これらの３つのパネル６０２、６０４及び６０６の間で移行することができる。
【００５８】
[0064]図６は、パネル６０２−６０６を表示する装置のユーザーが２つの通話に同時に携わっていて、そのうちの１つが電話会議である状況を示す。別個の通話中の連絡先パネル６０４及び６０６が各通話について表示される。図６に示された通話について、個人「サラ」への通話が保留状態である一方、電話会議は現在アクティブである。通話についてのこの状態はパネル６０２−６０６に示される。
【００５９】
[0065]示された例において、通話中の連絡先パネル６０４は、電話会議に参加している複数の他の個人に関する情報を含む。複数の個人が電話会議に含まれているので、パネル６０４に含まれる各個人に関する情報は、スペースを節約するために低減することができる。例えば、個人の名前、個人によってソーシャル・ネットワーキング・サービスに最近アップロードされた画像、及び、その個人がパネル６０４を表示する装置へ通話をしていた持続時間を表示することができる。個人との接続を切り（例えば、「終了」）、又は個人を一対一の通話に戻す（例えば、「プライベート」）ことによるなどして、ユーザーが電話会議への個人の参加を終了させることができるという指示も表示することができる。
【００６０】
[0066]図７は、１つ以上の実施例による、通話中の連絡先情報の表示を実施する装置の例示的な処理７００を示すフローチャートである。処理７００は、図１の装置１０２などのモバイル通信装置によって行われ、ソフトウェア、ファームウェア、ハードウェア又はそれらの組み合わせで実施することができる。処理７００は通話中の連絡先情報の表示を実施する例示的な処理である；通話中の連絡先情報の表示を実施することについての追加の説明は、異なる図に関して本明細書において含まれている。
【００６１】
[0067]処理７００では、通話のための呼制御情報が呼制御パネルに表示される（動作７０２）。上述のように、電話及び／又は通話に関するステータス情報を含む様々な異なる情報のほか、通話に関してユーザーによってなすことができる様々な制御要求の指示を表示することができる。
【００６２】
[0068]通話中の連絡先情報表示パネルにおける通話中の連絡先情報の表示を要求する単一のユーザー入力が受信される（動作７０４）。この通話中の連絡先情報表示パネルは、上述のように、処理７００を実施する装置が現在通話している個人に関する様々な情報を含む。
【００６３】
[0069]動作７０４の要求に応答して、通話に携わっている個人に関する通話中の連絡先情報が表示される（動作７０６）。この通話中の連絡先情報は、上述のように、通話中の連絡先情報表示パネルに表示することができ、又は代替的に、異なる方法で表示することができる。
【００６４】
[0070]図８は、１つ以上の実施例による、通話中の連絡先情報の表示を実施する装置の例示的な処理８００を示すフローチャートである。処理８００は、図１の装置１０２などのモバイル通信装置によって行われ、ソフトウェア、ファームウェア、ハードウェア又はそれらの組み合わせで実施することができる。処理８００は通話中の連絡先情報の表示を実施する例示的な処理である；通話中の連絡先情報の表示を実施することについての追加の説明は、異なる図に関して本明細書において含まれている。
【００６５】
[0071]処理８００では、通話に携わっている個人に関する通話中の連絡先情報を表示するための要求が受信される（動作８０２）。この個人は、処理８００を実施する装置が通話している個人である。
【００６６】
[0072]要求に応答して、通話中の連絡先情報が得られる（動作８０４）。この通話中の連絡先情報は、上述のようにソーシャル・ネットワーキング・サービスから得られた情報を含む。この情報は、動作８０２の要求に応答してソーシャル・ネットワーキング・サービスから得ることができ、又は代替的に、他の時においてソーシャル・ネットワーキング・サービスから得ることができ、上述のように、処理８００を実施する装置のローカル記憶部に保持することができる。
【００６７】
[0073]通話に携わっている個人に関して得られた通話中の連絡先情報が表示される（動作８０６）。上述のように、この情報は通話中の連絡先情報表示パネルに表示される。
[0074]図９は、１つ以上の実施例による、通話中の連絡先情報の表示を実施するように構成することができる例示的な計算装置９００を示す。計算装置９００は、例えば、図１のモバイル通信装置１０２であってもよい。
【００６８】
[0075]計算装置９００は、１つ以上のプロセッサー又は演算処理装置９０２、１つ以上のメモリー及び／又は記憶コンポーネント９０６を含み得る１つ以上コンピューター読み取り可能な媒体９０４、１つ以上の入出力（Ｉ／Ｏ）装置９０８、及び様々なコンポーネント及び装置が互いに通信することを可能にするバス９１０を含む。コンピューター読み取り可能な媒体９０４及び／又は１つ以上のＩ／Ｏ装置９０８は、計算装置９００の一部として含むことができ、又は代替的に計算装置９００に結合されてもよい。バス９１０は、様々な異なるバスアーキテクチャーを使用する、メモリーバスもしくはメモリーコントローラー、周辺バス、アクセラレーテッド・グラフィック・ポート、プロセッサー、又はローカルバスなどを含む、いくつかの種類のバスアーキテクチャーのうちの１つ以上を表す。バス９１０は有線及び／又は無線のバスを含んでもよい。
【００６９】
[0076]メモリー／記憶コンポーネント９０６は１つ以上のコンピューター記憶媒体を表す。コンポーネント９０６は、（ランダム・アクセス・メモリー（ＲＡＭ）などの）揮発性の媒体及び／又は（読み取り専用メモリー（ＲＯＭ）、フラッシュメモリー、光ディスク、磁気ディスクなどの）不揮発性の媒体を含んでもよい。コンポーネント９０６は、固定媒体（例えば、ＲＡＭ、ＲＯＭ、固定ハードドライブなど）のほか、取り外し可能な媒体（例えば、フラッシュメモリードライブ、取り外し可能なハードドライブ、光ディスクなど）を含んでもよい。
【００７０】
[0077]本明細書において説明された技術は、１つ以上の演算処理装置９０２によって実行されている命令により、ソフトウェアで実施することができる。演算処理装置９０２、演算処理装置９０２の様々なキャッシュメモリー、装置９００の他のキャッシュメモリー（図示せず）、他のコンピューター読み取り可能な媒体など、計算装置９００の異なるコンポーネントに異なる命令を格納することができることが理解されるべきである。さらに、命令が計算装置９００に格納される位置が時間とともに変化し得ることが理解されるべきである。
【００７１】
[0078]１つ以上の入出力装置９０８は、ユーザーが計算装置９００へコマンド及び情報を入力することを可能にし、さらに情報がユーザー及び／又は他のコンポーネントもしくは装置に提示されることを可能にする。入力装置の例は、キーボード、カーソル制御装置（例えば、マウス）、マイクロホン、スキャナーなどを含む。出力装置の例は、ディスプレイ装置（例えば、モニター又はプロジェクター）、スピーカー、プリンター、ネットワークカードなどを含む。
【００７２】
[0079]様々な技術は、ソフトウェア又はプログラムモジュールの一般的なコンテキストにおいて本明細書に記載されてもよい。一般に、ソフトウェアは、特定のタスクを実行し又は特定の抽象データ型を実施する、ルーチン、プログラム、オブジェクト、コンポーネント、データ構造などを含む。これらのモジュール及び技術の実施例は、ある形式のコンピューター読み取り可能な媒体上に格納されるか、又はそれらにわたって送信されてもよい。コンピューター読み取り可能な媒体は、計算装置によってアクセスすることができる任意の利用可能な媒体であってもよい。制限ではなく例として、コンピューター読み取り可能な媒体は「コンピューター記憶媒体」及び「通信媒体」を含んでもよい。
【００７３】
[0080]「コンピューター記憶媒体」は、コンピューター読み取り可能な命令、データ構造、プログラムモジュール又は他のデータなどの情報の記憶のために任意の方法又は技術で実施される、揮発性及び不揮発性、取り外し可能な及び取り外し不能な媒体を含む。コンピューター記憶媒体は、所望の情報を格納するために使用することができ、コンピューターによってアクセスすることができる、ＲＡＭ、ＲＯＭ、ＥＥＰＲＯＭ、フラッシュメモリーもしくは他のメモリー技術、ＣＤ−ＲＯＭ、デジタル・バーサタイル・ディスク（ＤＶＤ）もしくは他の光学記憶装置、磁気カセット、磁気テープ、磁気ディスク記憶装置もしくは他の磁気記憶装置、又は任意の他の媒体を含むがこれらに限定されない。
【００７４】
[0081]「通信媒体」は、通常、搬送波又は他の移送機構などの変調されたデータ信号に、コンピューター読み取り可能な命令、データ構造、プログラムモジュール又は他のデータを具体化する。通信媒体はまた、任意の情報配信媒体を含む。「変調されたデータ信号」という用語は、情報を信号中に符号化するような方法で設定又は変化されたその特徴のうち１つ以上の特徴を有する信号を意味する。限定でない例として、通信媒体は、有線ネットワーク又は直接的な有線接続などの有線の媒体、及び音響、ＲＦ、赤外線及び他の無線媒体などの無線媒体を含む。上記のもののうちの任意のものの組み合わせもまた、コンピューター読み取り可能な媒体の範囲内に含まれる。
【００７５】
[0082]一般に、本明細書に記載された機能又は技術のうちの任意のものは、ソフトウェア、ファームウェア、ハードウェア（例えば、固定論理回路）、マニュアル処理又はこれらの実施例の組み合わせを使用して実施することができる。本明細書において使用されるとき、「モジュール」及び「コンポーネント」という用語は、一般に、ソフトウェア、ファームウェア、ハードウェア又はそれらの組み合わせを表す。ソフトウェア実施の場合には、モジュール又はコンポーネントは、プロセッサー（例えば、ＣＰＵ又はＣＰＵ）上で実行されると指定されたタスクを行うプログラムコードを表す。プログラムコードは１つ以上のコンピューター読み取り可能なメモリー装置に格納することができ、そのさらなる記載は図９に関して見ることができる。本明細書に記載された通話中の連絡先情報の表示技術の特徴はプラットフォーム無依存であって、これは、当該技術を、様々なプロセッサーを有する様々な商用コンピューティングプラットフォーム上で実施することができることを意味する。
【００７６】
[0083]主題は構造的特徴及び／又は方法論の動作に特有の言葉で述べられてきたが、添付の特許請求の範囲において規定される主題が上述の特定の特徴又は動作に必ずしも限定されないことが理解されるべきである。より正確に言えば、上述の特定の特徴及び動作は、請求項を実施する例示的な形式として開示されるものである。
【図１】
0005506922.tif 000002
【図２】
0005506922.tif 000003
【図３】
0005506922.tif 000004
【図４】
0005506922.tif 000005
【図５】
0005506922.tif 000006
【図６】
0005506922.tif 000007
【図７】
0005506922.tif 000008
【図８】
0005506922.tif 000009
【図９】
0005506922.tif 000010